(57)【特許請求の範囲】
【請求項１】
光コネクタアダプタ（１３、１６）が設置される光接続ユニット（５０、６０）を上下多段に搭載して横並びに配列された３以上の架体（２０Ａ、２０Ｂ、３０、３０Ａ、３０Ｂ）を有し、前記架体間に配線されるジャンパ用光ファイバ（１９、１９Ａ、１９Ｂ、１９Ｃ）によって異なる架体の光コネクタアダプタ間を接続することで、前記光コネクタアダプタに前記ジャンパ用光ファイバがコネクタ接続される作業面側とは反対の側から接続されている光ファイバ（１８、１５）同士が前記ジャンパ用光ファイバを介して切替可能に接続されるようになっている光配線盤において、
全ての架体あるいは横並びの両端の架体の間に位置する全ての架体に設けられている前記光接続ユニットは、前記光コネクタアダプタが設置されるアダプタ設置部（５１、６１）と、このアダプタ設置部の下側から前記作業面側に張り出されて横方向に延在され、前記光コネクタアダプタに接続されるジャンパ用光ファイバが横方向に配線される配線ダクト（５２、６２）と、前記配線ダクトの下側にて横方向に延在され、該光接続ユニットに横方向に引き通されるジャンパ用光ファイバ（１９Ｂ、１９Ｃ）が配線される引き通し用ダクト（５３、６３）とを有し、前記配線ダクトに配線されたジャンパ用光ファイバが前記配線ダクトから上側に引き上げるようにして前記光コネクタアダプタにコネクタ接続されるようになっており、
前記引き通し用ダクトに配線されて前記光接続ユニットに横方向に引き通されたジャンパ用光ファイバ（１９Ｂ、１９Ｃ）は、光コネクタ（１９ａ、１９ｂ）が取り付けられている両端が、それぞれ、当該ジャンパ用光ファイバが引き通し用ダクトに配線されて引き通された光接続ユニットが設けられている架体を介して両側に設けられている架体の光接続ユニットに引き込まれて前記光コネクタアダプタにコネクタ接続されていることを特徴とする光配線盤（１０、１００）。
【請求項２】
各架体に上下多段に設けられた光接続ユニットの位置が、隣り合う架体の間で横並びとなるように、対応されていることを特徴とする請求項１記載の光配線盤。
【請求項３】
各架体には、前記光接続ユニットが上下多段に設けられたユニット搭載部（２２）と、このユニット搭載部の側部に該ユニット搭載部に沿って上下に延在する空間である光ファイバ配線領域（２４、３４）が確保されており、
隣り合う架体の一方に設けられている光接続ユニットの引き通し用ダクトに配線されている光ファイバが、隣り合う架体において横並びに対をなす光接続ユニットの一方に設けられている引き通し用ダクトと他方の光接続ユニットに設けられている配線ダクトとの間に、前記光ファイバ配線領域（２４）を介して配線され架け渡されていることを特徴とする請求項２記載の光配線盤。
【請求項４】
ジャンパ用光ファイバを湾曲配線して余長を吸収するための光ファイバ配線領域（４５）及び引っ掛け部材（４４）を具備する配線架体（４０）を有し、この配線架体の両側に、前記光接続ユニットが搭載されている前記架体が設けられていることを特徴とする請求項１〜３のいずれかに記載の光配線盤。
【請求項５】
前記横並びに配列された３以上の架体が、光ファイバケーブル（１１）の光ファイバ（１２）を前記ジャンパ用光ファイバに対してコネクタ接続可能にした光コネクタアダプタ（１３）が設置された光接続ユニットを搭載した１以上の線路側架体（２０Ａ、２０Ｂ）と、前記光ファイバケーブルの光ファイバをジャンパ用光ファイバを介して接続する伝送装置側の光ファイバを光コネクタアダプタによって前記ジャンパ用光ファイバに対してコネクタ接続可能とした前記光接続ユニットが搭載された１以上の装置側架体とを横並びに配列したものであり、
前記ジャンパ用光ファイバは、前記線路側架体の光接続ユニットの光コネクタアダプタと、前記装置側架体の光接続ユニットの光コネクタアダプタとの間を接続することを特徴とする請求項１〜４のいずれかに記載の光配線盤。
【請求項６】
前記アダプタ設置部が、光ファイバの余長を収納した光モジュール（１４、１７）が設置されるモジュール設置部であり、このモジュール設置部には、前記光モジュールが該光モジュールの側部に取り付けられた光コネクタアダプタを、前記光接続ユニットにおいて前記配線ダクト及び前記引き通し用ダクトが設けられている側である作業面側に向けて設置されることを特徴とする請求項１〜５のいずれかに記載の光配線盤。
【請求項７】
一つの架体内に、光コネクタアダプタ（１３、１６）が設置される光接続ユニット（５０、６０）が横方向に複数連設された構造の光配線盤であって、
前記光接続ユニットが、導入側の光ファイバ（１８、１５）を導入側に対向する作業面側の光ファイバ（１９、１９Ａ、１９Ｂ、１９Ｃ、１５Ｂ）に対してコネクタ接続可能に成端する光コネクタアダプタ（１３、１６）が設置されるアダプタ設置部（５１、６１）と、前記作業面側にて前記アダプタ設置部の下側から前記作業面側に張り出されて横方向に延在され、前記光コネクタアダプタに前記作業面側から着脱可能に接続される光ファイバが横方向に配線される配線ダクト（５２、６２）と、前記配線ダクトの下側にて横方向に延在され、該光接続ユニットに横方向に引き通される光ファイバが配線される引き通し用ダクト（５３、６３）とを有し、前記配線ダクトに配線された光ファイバが前記配線ダクトから上側に引き上げるようにしてコネクタ接続されるようになっており、
前記アダプタ設置部が、光ファイバの余長を収納した光モジュール（１４、１７）が設置されるモジュール設置部であり、このモジュール設置部には、前記光モジュールが該光モジュールの側部に取り付けられた光コネクタアダプタを作業面側に向けて設置され、
前記引き通し用光ファイバに配線される光ファイバは、前記光コネクタアダプタにコネクタ接続可能な光コネクタが先端に取り付けられているものであり、
前記引き通し用ダクトに配線して光接続ユニットに引き通した光ファイバが、前記架体内の別の光接続ユニットに引き込まれることを特徴とする光配線盤。
【請求項８】
モジュール設置部には、前記光モジュールが、作業面側に引き出し可能に設置されていることを特徴とする請求項１〜７のいずれかに記載の光配線盤。
【請求項９】
一つの架体内に、光コネクタアダプタ（１３、１６）が設置される光接続ユニット（５０、６０）が横方向に複数連設された構造の光配線盤に適用される光接続ユニットであって、
導入側の光ファイバ（１８、１５）を導入側に対向する作業面側の光ファイバ（１９、１９Ａ、１９Ｂ、１９Ｃ、１５Ｂ）に対してコネクタ接続可能に成端する光コネクタアダプタ（１３、１６）が設置されるアダプタ設置部（５１、６１）と、前記作業面側にて前記アダプタ設置部の下側から前記作業面側に張り出されて横方向に延在され、前記光コネクタアダプタに前記作業面側から着脱可能に接続される光ファイバが横方向に配線される配線ダクト（５２、６２）と、前記配線ダクトの下側にて横方向に延在され、該光接続ユニットに横方向に引き通される光ファイバが配線される引き通し用ダクト（５３、６３）とを有し、前記配線ダクトに配線された光ファイバが前記配線ダクトから上側に引き上げるようにしてコネクタ接続されるようになっており、
前記アダプタ設置部が、光ファイバの余長を収納した光モジュール（１４、１７）が設置されるモジュール設置部であり、このモジュール設置部には、前記光モジュールが該光モジュールの側部に取り付けられた光コネクタアダプタを作業面側に向けて設置され、
前記引き通し用光ファイバに配線される光ファイバは、前記光コネクタアダプタにコネクタ接続可能な光コネクタが先端に取り付けられているものであり、
前記引き通し用ダクトに配線して光接続ユニットに引き通した光ファイバが、前記架体内の別の光接続ユニットに引き込まれることを特徴とする光接続ユニット。
【発明の詳細な説明】
【０００１】
【発明の属する技術分野】
本発明は、光配線盤、及び、光コネクタアダプタによって光ファイバを別の光ファイバに対してコネクタ接続可能に成端する光接続ユニットに関する。
【０００２】
【従来の技術】
図１３は、従来例の光配線盤１を示す。図１３において、この光配線盤１は、外線光ファイバケーブル端末から引き出した光ファイバをコネクタ接続可能に成端した光コネクタアダプタ２ａが多数配列設置されている線路側架体２と、伝送装置側の光ファイバが片側（図１３紙面奥側）から接続された光コネクタアダプタ３ａが多数配列設置されている装置側架体３とを、配線架体４を介して対向配置した構成になっている。この光配線盤１では、前記配線架体４を介して線路側架体２と装置側架体３との間に配線したジャンパ用光ファイバコードであるジャンパコード５の一端の光コネクタ５ａ（光コネクタプラグ）を線路側架体２の光コネクタアダプタ２ａに接続し、他端の光コネクタ５ｂを装置側架体３の光コネクタアダプタ３ａに接続することで、光ファイバケーブル側の光ファイバと伝送装置側の光ファイバとが選択的に接続される。ジャンパコード５の両端の光コネクタ５ａ、５ｂは、光コネクタアダプタ２ａ、３ａに対して着脱自在であり、光コネクタアダプタ２ａ、３ａに対する接続を切り替えることで、光ファイバケーブル側の光ファイバに対する伝送装置側の光ファイバの接続を切り替えることができる。また、配線架体４は、線路側架体２と装置側架体３との間におけるジャンパコード５の引き回し自由度を確保するとともに、ジャンパコード５の余長を湾曲処理して収容する機能を果たす。
【０００３】
【発明が解決しようとする課題】
ところで、この光配線盤１では、図１４に示すように、線路側架体２の隣に線路側架体２Ａを追加したり、装置側架体３の隣に装置側架体３Ａを追加して、対応心数の多い光配線盤を構成することが可能である。この架体の追加は、光配線盤の組み立て時の他、既設の光配線盤について対応心数の増大の要求に対応して行う場合がある。架体を追加した光配線盤では、例えば、追加した線路側架体２Ａの光コネクタアダプタと装置側架体３、３Ａの光コネクタアダプタとの間を接続するジャンパコードや、追加した装置側架体３Ａと線路側架体２との間に配線されるジャンパコード等、追加した線路側架体２Ａや装置側架体３Ａの光コネクタアダプタとの接続に関与するジャンパコード５Ａは、光配線盤を構成する全ての架（線路側架体２、２Ａ、装置側架体３、３Ａ、配線架体４）の上部あるいは下部（図１４では下部）に設けた架間配線棚６を利用して、線路側架体２や装置側架体３等を迂回するようにして配線することが一般的である。
【０００４】
しかしながら、前述のように、追加した線路側架体２又は装置側架体３に係るジャンパコード５Ａを架間配線棚６を利用して配線する構成では、ジャンパコードの配線長が長くなり、しかも、配線ルートが複雑になることから、ジャンパコードの配線、入れ替え等に手間に掛かるといった不都合がある。また、架間配線棚６を経由して配線するジャンパコードの本数が増大すると、架間配線棚６内で多数本のジャンパコードが錯綜して、ジャンパコードの増設、取り出し、入れ替え等の手間が増大するといった不満もある。
【０００５】
本発明は、前記課題に鑑みて、ジャンパ用光ファイバ等の光ファイバの架体への引き通し配線を実現し、この光ファイバの長さの短縮、並びに、増設、取り出し、入れ替え等の作業性の向上等を実現できる光配線盤及び光接続ユニットの提供を目的とする。
【０００６】
【課題を解決するための手段】
上記課題を解決するために本発明は以下の構成を解決手段とした。
請求項１記載の発明は、光コネクタアダプタが設置される光接続ユニットを上下多段に搭載して横並びに配列された３以上の架体を有し、前記架体間に配線されるジャンパ用光ファイバによって異なる架体の光コネクタアダプタ間を接続することで、前記光コネクタアダプタに前記ジャンパ用光ファイバがコネクタ接続される作業面側とは反対の側から接続されている光ファイバ同士が前記ジャンパ用光ファイバを介して切替可能に接続されるようになっている光配線盤において、全ての架体あるいは横並びの両端の架体の間に位置する全ての架体に設けられている前記光接続ユニットは、前記光コネクタアダプタが設置されるアダプタ設置部と、このアダプタ設置部の下側から前記作業面側に張り出されて横方向に延在され、前記光コネクタアダプタに接続されるジャンパ用光ファイバが横方向に配線される配線ダクトと、前記配線ダクトの下側にて横方向に延在され、該光接続ユニットに横方向に引き通されるジャンパ用光ファイバが配線される引き通し用ダクトとを有し、前記配線ダクトに配線されたジャンパ用光ファイバが前記配線ダクトから上側に引き上げるようにして前記光コネクタアダプタにコネクタ接続されるようになっており、前記引き通し用ダクトに配線されて前記光接続ユニットに横方向に引き通されたジャンパ用光ファイバは、光コネクタが取り付けられている両端が、それぞれ、当該ジャンパ用光ファイバが引き通し用ダクトに配線されて引き通された光接続ユニットが設けられている架体を介して両側に設けられている架体の光接続ユニットに引き込まれて前記光コネクタアダプタにコネクタ接続されていることを特徴とする。
請求項２に係る発明は、各架体に上下多段に設けられた光接続ユニットの位置が、隣り合う架体の間で横並びとなるように、対応されていることを特徴とする請求項１記載の光配線盤である。
請求項３に係る発明は、各架体には、前記光接続ユニットが上下多段に設けられたユニット搭載部と、このユニット搭載部の側部に該ユニット搭載部に沿って上下に延在する空間である光ファイバ配線領域が確保されており、隣り合う架体の一方に設けられている光接続ユニットの引き通し用ダクトに配線されている光ファイバが、隣り合う架体において横並びに対をなす光接続ユニットの一方に設けられている引き通し用ダクトと他方の光接続ユニットに設けられている配線ダクトとの間に、前記光ファイバ配線領域を介して配線され架け渡されていることを特徴とする請求項２記載の光配線盤である。
請求項４に係る発明は、ジャンパ用光ファイバを湾曲配線して余長を吸収するための光ファイバ配線領域及び引っ掛け部材を具備する配線架体を有し、この配線架体の両側に、前記光接続ユニットが搭載されている前記架体が設けられていることを特徴とする請求項１〜３のいずれかに記載の光配線盤である。
請求項５に係る発明は、前記横並びに配列された３以上の架体が、光ファイバケーブルの光ファイバを前記ジャンパ用光ファイバに対してコネクタ接続可能にした光コネクタアダプタが設置された光接続ユニットを搭載した１以上の線路側架体と、前記光ファイバケーブルの光ファイバをジャンパ用光ファイバを介して接続する伝送装置側の光ファイバを光コネクタアダプタによって前記ジャンパ用光ファイバに対してコネクタ接続可能とした前記光接続ユニットが搭載された１以上の装置側架体とを横並びに配列したものであり、前記ジャンパ用光ファイバは、前記線路側架体の光接続ユニットの光コネクタアダプタと、前記装置側架体の光接続ユニットの光コネクタアダプタとの間を接続することを特徴とする請求項１〜４のいずれかに記載の光配線盤である。
請求項６に係る発明は、前記アダプタ設置部が、光ファイバの余長を収納した光モジュールが設置されるモジュール設置部であり、このモジュール設置部には、前記光モジュールが該光モジュールの側部に取り付けられた光コネクタアダプタを、前記光接続ユニットにおいて前記配線ダクト及び前記引き通し用ダクトが設けられている側である作業面側に向けて設置されることを特徴とする請求項１〜５のいずれかに記載の光配線盤である。
請求項７に係る発明は、一つの架体内に、光コネクタアダプタが設置される光接続ユニットが横方向に複数連設された構造の光配線盤であって、前記光接続ユニットが、導入側の光ファイバを導入側に対向する作業面側の光ファイバに対してコネクタ接続可能に成端する光コネクタアダプタが設置されるアダプタ設置部と、前記作業面側にて前記アダプタ設置部の下側から前記作業面側に張り出されて横方向に延在され、前記光コネクタアダプタに前記作業面側から着脱可能に接続される光ファイバが横方向に配線される配線ダクトと、前記配線ダクトの下側にて横方向に延在され、該光接続ユニットに横方向に引き通される光ファイバが配線される引き通し用ダクトとを有し、前記配線ダクトに配線された光ファイバが前記配線ダクトから上側に引き上げるようにしてコネクタ接続されるようになっており、前記アダプタ設置部が、光ファイバの余長を収納した光モジュールが設置されるモジュール設置部であり、このモジュール設置部には、前記光モジュールが該光モジュールの側部に取り付けられた光コネクタアダプタを作業面側に向けて設置され、前記引き通し用光ファイバに配線される光ファイバは、前記光コネクタアダプタにコネクタ接続可能な光コネクタが先端に取り付けられているものであり、前記引き通し用ダクトに配線して光接続ユニットに引き通した光ファイバが、前記架体内の別の光接続ユニットに引き込まれることを特徴とする光配線盤である。
請求項８に係る発明は、モジュール設置部には、前記光モジュールが、作業面側に引き出し可能に設置されていることを特徴とする請求項１〜７のいずれかに記載の光配線盤である。
請求項９に係る発明は、一つの架体内に、光コネクタアダプタが設置される光接続ユニットが横方向に複数連設された構造の光配線盤に適用される光接続ユニットであって、導入側の光ファイバを導入側に対向する作業面側の光ファイバに対してコネクタ接続可能に成端する光コネクタアダプタが設置されるアダプタ設置部と、前記作業面側にて前記アダプタ設置部の下側から前記作業面側に張り出されて横方向に延在され、前記光コネクタアダプタに前記作業面側から着脱可能に接続される光ファイバが横方向に配線される配線ダクトと、前記配線ダクトの下側にて横方向に延在され、該光接続ユニットに横方向に引き通される光ファイバが配線される引き通し用ダクトとを有し、前記配線ダクトに配線された光ファイバが前記配線ダクトから上側に引き上げるようにしてコネクタ接続されるようになっており、前記アダプタ設置部が、光ファイバの余長を収納した光モジュールが設置されるモジュール設置部であり、このモジュール設置部には、前記光モジュールが該光モジュールの側部に取り付けられた光コネクタアダプタを作業面側に向けて設置され、
前記引き通し用光ファイバに配線される光ファイバは、前記光コネクタアダプタにコネクタ接続可能な光コネクタが先端に取り付けられているものであり、前記引き通し用ダクトに配線して光接続ユニットに引き通した光ファイバが、前記架体内の別の光接続ユニットに引き込まれることを特徴とする光接続ユニットである。
【０００７】
請求項１記載の光配線盤では、この光配線盤を構成する全ての架体が引き通し用ダクトを有する光接続ユニットを搭載したものである必要は無く、少なくとも、配列の両端の架体の間に位置する１以上の架体が光接続ユニットを搭載した架体であれば良い。
【０００８】
本発明に係る光配線盤及び光接続ユニットでは、光接続ユニットの配線ダクト下に設けられている引き通し用ダクトを利用することで、この光接続ユニットに対する光ファイバの引き通し配線を簡単に実現できる。光接続ユニットは、アダプタ設置部に設置された光コネクタアダプタにコネクタ接続されるジャンパ用光ファイバが配線される配線ダクトとは別に前記引き通し用ダクトを有する構成であり、該光接続ユニットに引き通し配線する光ファイバを、配線ダクト内のジャンパ用光ファイバと干渉させることなく引き通し配線することができる。
【０００９】
引き通し用ダクトに配線される光ファイバとしては、例えば光接続ユニットが搭載された架体を介して対向配置された架体間に配線されるジャンパ用光ファイバ等が挙げられるが、これに限定されず、例えば、光接続ユニットが搭載された架体（あるいは光配線盤）の設置場所（中継局等）に配線される各種光ファイバ（例えば伝送装置に接続された光ファイバコード等の光ファイバ）、光配線盤間の渡り配線用光ファイバなど、各種採用可能である。
引き通し用ダクトに配線したジャンパ用光ファイバ等の光ファイバは、光接続ユニットや架体を迂回するようにして配線する場合に比べて配線長の短縮や配線ルートの単純化を実現できる。また、本発明に係る光接続ユニット（引き通し用ダクト付きの光接続ユニット）が上下に多段に搭載されている架体（あるいは光配線盤）であれば、引き通し配線するジャンパ用光ファイバ等の光ファイバを複数の光接続ユニットの引き通し用ダクトに分散して配線することができ、これにより、引き通し配線する光ファイバが多数本であっても、この光ファイバの増設、取り出し、入れ替え等の作業性を確保できる。
【００１０】
【発明の実施の形態】
以下、本発明の実施の形態を、図面を参照して説明する。
図１〜図３は、本発明の実施の形態の光配線盤１０を示す図であって、図１は正面図、図２は平面図、図３は背面図である。
【００１１】
図１〜図３において、この光配線盤１０は、線路側の光ファイバケーブル１１（外線光ファイバケーブル）に収納されている光ファイバ１２を光コネクタアダプタ１３によってコネクタ接続可能に成端（以下「コネクタ接続可能に成端」を「コネクタ成端」と略称する場合がある）する光モジュール１４を収納している複数（ここでは２つ）の線路側架体２０Ａ、２０Ｂと、伝送装置（図示略）側の光ファイバ１５を光コネクタアダプタ１６によってコネクタ成端する光モジュール１７を収納している装置側架体３０と、配線架体４０とを有し、これら架体２０Ａ、２０Ｂ、３０、４０を横並びに一列に配列設置した構成になっている。線路側架体２０Ａ、２０Ｂは配線架体４０の片側に配列されており、装置側架体３０は、配線架体４０を介して線路側架体２０Ａ、２０Ｂに対して対向配置されている。
【００１２】
線路側架体２０Ａ、２０Ｂに収納されている光モジュール１４は、該線路側架体２０Ａ、２０Ｂの枠状のフレーム２１の内側のユニット搭載部２２に上下に多段に搭載されている光接続ユニット５０内に収納されている。前記光モジュール１４によってコネクタ成端する光ファイバケーブル１１は、線路側架体２０Ａ、２０Ｂの作業面側（図１紙面手前側、図２下側）に対向する導入側（図２上側、図３紙面手前側）に引き込まれ、ユニット搭載部２２の導入側（図２上側、図３紙面手前側）に取り付けられたケーブル固定具２３によって端末が固定されている。前記ユニット搭載部２２の側部には、該ユニット搭載部２２に沿って上下に延在しかつ作業面側と導入側とに連通する空間である光ファイバ配線領域２４が確保されており、前記ケーブル固定具２３によって固定された光ファイバケーブル１１端末に口出しされている光ファイバ１２は、前記光ファイバ配線領域２４を介して作業面側に引き込まれるとともに、ユニット搭載部２２の光接続ユニット５０に対して振り分け配線されている。
なお、光配線盤１０並びに該光配線盤１０を構成する架体２０Ａ、２０Ｂ、３０、４０や、光接続ユニット５０、６０等の光配線盤１０を構成する各部分等について説明する「作業面側」とは図１紙面手前側、図２下側等を指し、「導入側」とは図２上側、図３紙面手前側等を指しており、表現を統一している。
【００１３】
図４（ａ）〜（ｃ）は、光接続ユニット５０を示す図であって、（ａ）は平面図、（ｂ）は正面図、（ｃ）は側面図である。
図４（ａ）〜（ｃ）に示すように、光接続ユニット５０は、外観薄板状のケースである光モジュール１４を縦置きにして横並びに複数収納した正面視（図４（ｂ）の向き）四角枠状のユニットフレーム５１と、このユニットフレーム５１の下部（図４（ｂ）、（ｃ）の下側）から、作業面側（図４（ａ）下側、図４（ｂ）紙面手前側、図４（ｃ）左側）に張り出され、ユニットフレーム５１の正面視四角枠状の本体部５１ａの底板５１ｂに沿って正面視横方向に延在する配線ダクト５２と、この配線ダクト５２の下側にて該配線ダクト５２に沿って正面視横方向に延在された引き通し用ダクト５３とを有して構成されている。ユニットフレーム５１は、光モジュール１４が設置されるモジュール設置部、並びに、光モジュール１４の設置によって光コネクタアダプタ１３が設置されるアダプタ設置部として機能する。
【００１４】
ユニットフレーム５１と、配線ダクト５２と、引き通し用ダクト５３とは一体化されており、ユニットフレーム５１を、線路側架体２０Ａ、２０Ｂのフレーム２１に固定することで、全体を一体的にユニット搭載部２２に搭載することができる。線路側架体２０Ａ、２０Ｂのフレーム２１に対するユニットフレーム５１の固定は、具体的には、ユニット搭載部２２（図１参照）の正面視（作業面側から見た場合。図１の向き）左右両側に存在するフレーム２１の柱２１ａの間に、ユニットフレーム５１の本体部５１ａを挿入し、ユニットフレーム５１の正面視左右両側に張り出された固定フランジ５１ｃを両側の柱２１ａにボルト等によって固定する。図４（ｂ）において、符号５１ｄは、固定フランジ５１ｃにボルトを挿通するためのボルト用溝である。なお、ユニットフレーム５１をフレーム２１に固定する固定手段としては、前述のボルトに限定されないが、フレーム２１に対してユニットフレーム５１を着脱可能に固定できる構成（前述のボルト等を含む）を採用することが好ましい。
【００１５】
光モジュール１４は、一端部に取り付けられた光コネクタアダプタ１３を作業面側に向けてユニットフレーム５１内に収納される。また、この光モジュール１４は、ユニットフレーム５１から作業面側に引き出し可能である（図４（ｃ）仮想線の符号１４参照）。ユニットフレーム５１内に収納された光モジュール１４は、ユニットフレーム５１の本体部５１ａの底板５１ｂ及び本体部５１ａの天板５１ｅから本体部５１ａ内側に向けて突設された仕切片５１ｆによって縦置き状態に支持される。仕切片５１ｆは、ユニットフレーム５１からの光モジュール１４の引き出しや、作業面側からユニットフレーム５１への光モジュール１４の挿入の障害にはならない。
【００１６】
前記光コネクタアダプタ１３は、ユニットフレーム５１に収納された光モジュール１４の作業面側の側部（作業面側端部壁１４ａ）に突出されている。また、図４（ｃ）等に示すように、光コネクタアダプタ１３には、光モジュール１４内に収納された光ファイバ１８（以下「モジュール側光ファイバ」と称する場合がある）先端に設けられている光コネクタ１８ａ（光コネクタプラグ）が光モジュール１４内側からコネクタ接続されている。
前記光ファイバ１８は、具体的には例えば４心、８心等の多心光ファイバテープ心線等の多心光ファイバの一端に、この多心光ファイバを単心分岐した単心部を有し、各単心部先端がそれぞれ前記光コネクタ１８ａによってコネクタ接続可能に成端されたものである。
【００１７】
この光ファイバ１８（具体的には分岐されていない多心部）は、光モジュール１４の作業面側端部壁１４ａに開口された光ファイバ挿通穴１４ｂから光モジュール１４の外側に引き出されて配線ダクト５２に配線され、配線ダクト５２の延在方向一端、ここでは、光ファイバ配線領域２４側の端部（図４（ａ）、（ｂ）右側）から引き上げるようにして、ユニットフレーム５１の本体部５１ａの天板５１ｅ上に設けられている配線棚５４に引き込まれており、前記光ファイバ配線領域２４から配線棚５４に引き込まれた線路側の光ファイバ１２と光接続されている。光ファイバ１２、１８同士の光接続部５５はここでは融着接続部であり、図５に示すように、配線棚５４上に設けられているホルダ５６に着脱自在に保持される。なお、光接続部５５としては、融着接続部に限定されず、例えば光ファイバ１２、１８同士を機械的に突き合わせ接続する接続器（スプライス）等、各種採用可能である。
光ファイバ１２、１８は、心数が同じ多心光ファイバである。光ファイバケーブル１１側の光ファイバ１２としては光ファイバ１８と同様に多心光ファイバテープ心線等が採用される。
【００１８】
つまり、光ファイバケーブル１１端末に引き出された多心の光ファイバ１２は、モジュール側光ファイバ１８を介して単心分岐して光モジュール１４の光コネクタアダプタ１３に光モジュール１４内側から接続されており、これにより、光コネクタアダプタ１３によって、該光コネクタアダプタ１３に作業面側から接続される光ファイバ（ジャンパ用光ファイバ１９等）に対するコネクタ成端が実現されている。
【００１９】
なお、配線棚５４は、ユニットフレーム５１の本体部５１ａの天板５１ｅ上の棚収納部５１ｇに作業面側から押し込んで格納することができ、この格納状態では、光接続部５５が露出しないように光配線盤１０内部に収納、保護される。
また、配線棚５４は棚収納部５１ｇから引き出し可能であり、適宜引き出すことで、光ファイバ１２、１８の増設、撤去、接続の切り替え等の作業を行うことができる。
【００２０】
次に、装置側架体３０について説明する。
図１〜図３において、装置側架体３０は、枠状のフレーム３１の内側に、光接続ユニット６０が上下に多段に搭載されるユニット搭載部３２と、このユニット搭載部３２の一側部に確保された光ファイバ配線領域３４とを有している。前記光ファイバ配線領域３４は、ユニット搭載部３２に沿って上下に延在しかつ作業面側と導入側とに連通する空間である。
【００２１】
この実施の形態において、前記光ファイバ１５は伝送装置側の光線路と接続された単心の光ファイバコードであり、光配線盤１０に引き込まれる先端は、光コネクタ１５ａ（光コネクタプラグ。図６（ｃ）参照）によってコネクタ成端されている。但し、この光ファイバ１５は、該光ファイバ１５である光ファイバコードを複数本結束した構成のコードケーブル１５Ａとして光配線盤１０に導入されている。コードケーブル１５Ａは、配線架体４０の導入側に引き込まれ、該配線架体４０の導入側に設けられたケーブル固定具４１によってその端末が固定されている。装置側架体３０では、コードケーブル１５Ａ端末に口出されている光ファイバ１５が導入側から引き込まれて光ファイバ配線領域３４を経由して作業面側に引き出されるとともに、前記光ファイバ配線領域３４内での引き回しによってユニット搭載部２２の目的の光接続ユニット６０の配線ダクト６２（後述）に配線されている。
【００２２】
なお、コードケーブル１５Ａ端末を固定するケーブル固定具は、配線架体４０以外、装置側架体３０の導入側に設置しても良い。
また、光配線盤１０への光ファイバ１５の導入は、コードケーブル１５Ａとして行う構成に限定されず、例えば光ファイバコードのままの状態で、直接、引き込むことも可能である。
【００２３】
図６（ａ）〜（ｃ）は、光接続ユニット６０を示す図であって、（ａ）は平面図、（ｂ）は正面図、（ｃ）は側面図である。
図６（ａ）〜（ｃ）に示すように、光接続ユニット６０は、外観薄板状のケースである光モジュール１７を縦置きにして横並びに複数収納した正面視（図６（ｂ）の向き）四角枠状のユニットフレーム６１と、このユニットフレーム６１の下部（図６（ｂ）、（ｃ）の下側）から、作業面側（図６（ａ）下側、図６（ｂ）紙面手前側、図６（ｃ）左側）に張り出され、ユニットフレーム６１の正面視四角枠状の本体部６１ａの底板６１ｂに沿って正面視横方向に延在する配線ダクト６２と、この配線ダクト６２の下側にて該配線ダクト６２に沿って正面視横方向に延在された引き通し用ダクト６３とを有して構成されている。ユニットフレーム６１は、光モジュール１７が設置されるモジュール設置部、並びに、光モジュール１７の設置によって光コネクタアダプタ１６が設置されるアダプタ設置部として機能する。なお、ユニットフレーム６１は、光モジュール１７が設置されるモジュール設置部、並びに、光モジュール１７の設置によって光コネクタアダプタ１６が設置されるアダプタ設置部として機能する。
【００２４】
ユニットフレーム６１と、配線ダクト６２と、引き通し用ダクト６３とは一体化されており、この光接続ユニット６０は、ユニットフレーム６１を装置側架体３のフレーム３１に固定することで、全体を一体的にユニット搭載部３２に搭載することができる。装置側架体３０のフレーム３１に対するユニットフレーム６１の固定は、具体的には、ユニット搭載部３２の正面視（作業面側から見た場合）左右両側に存在するフレーム２１の柱２１ａ（図１参照）の間に、ユニットフレーム６１の本体部６１ａを挿入し、ユニットフレーム６１の正面視左右両側に張り出された固定フランジ６１ｃを両側の柱３１ａにボルト等によって固定する。図６（ｂ）において、符号６１ｄは、固定フランジ６１ｃにボルトを挿通するためのボルト用溝である。なお、ユニットフレーム６１をフレーム３１に固定する固定手段としては、前述のボルトに限定されないが、フレーム３１に対してユニットフレーム６１を着脱可能に固定できる構成（前述のボルト等を含む）を採用することが好ましい。
【００２５】
光モジュール１７は、一端部に取り付けられた光コネクタアダプタ１６を作業面側に向けてユニットフレーム６１内に収納される。また、この光モジュール１７は、ユニットフレーム６１から作業面側に引き出し可能である。ユニットフレーム６１内に収納された光モジュール１７は、ユニットフレーム６１の本体部６１ａの底板６１ｂ及び天板６１ｅから本体部６１ａ内側に向けて突設された仕切片６１ｆによって縦置き状態に支持される。仕切片６１ｆは、ユニットフレーム６１から作業面側への光モジュール１７の引き出しや、作業面側からユニットフレーム６１への光モジュール１７の挿入の障害にはならない。
【００２６】
図６（ｂ）、（ｃ）等に示すように、光モジュール１７の前記光コネクタアダプタ１６が取り付けられている側壁部、すなわち、ユニットフレーム６１に収納された光モジュール１７の作業面側の側壁部（作業面側端部壁１７ａ）には光ファイバ挿通穴１７ｂが開口されている。光ファイバ配線領域２４から光接続ユニット６０の配線ダクト６２に引き込まれた光ファイバ１５は、この配線ダクト６２から引き上げるようにして前記光ファイバ挿通穴１７ｂを介して目的の光モジュール１７内に引き込まれ、その先端の光コネクタ１５ａを光モジュール１７内側から光コネクタアダプタ１６に接続しており、これにより、光コネクタアダプタ１６によって、該光コネクタアダプタ１６に作業面側から接続されるジャンパ用光ファイバ１９等の光ファイバに対してコネクタ接続可能に成端されている。なお、配線ダクト６２では、該配線ダクト６２に設けられているクランプ部材７１等によって、光ファイバ１５の配線領域とジャンパ用光ファイバ１９の配線領域とが区分けされている。
【００２７】
図１〜図３、図７に示すように、配線架体４０は、枠状のフレーム４２と、このフレーム４２の中央部に設けられ該フレーム４２内側の領域を作業面側と導入側とに仕切る仕切壁４３と、この仕切壁４３の導入側に取り付けられたケーブル固定具４１と、仕切壁４３の作業面側に上下に多段に取り付けられた引っ掛け部材４４とを有している。前記引っ掛け部材４４は、フレーム４２の内側の領域を仕切壁４３によって仕切った作業面側の部分（空間）である光ファイバ配線領域４５の中央部に配置されている。
【００２８】
図８に示すように、ジャンパ用光ファイバ１９は、ここでは、両端が光コネクタ１９ａ、１９ｂ（光コネクタプラグ）によってコネクタ成端されている単心の光ファイバコード（所謂ジャンパコード）である。図１、図２等に示すように、この光配線盤１０では、ジャンパ用光ファイバ１９の一端の光コネクタ１９ａを、線路側架体２０Ａ、２０Ｂに設けられている光モジュール１４の光コネクタアダプタ１３から選択したものに接続し、ジャンパ用光ファイバ１９の他端の光コネクタ１９ｂを、装置側架体３０に設けられている光モジュール１７の光コネクタアダプタ１６から選択したものに接続することで、ジャンパ用光ファイバ１９を介して、線路側の目的の光回線を装置側の光回線（光ファイバ１５）に対して接続できる。線路側架体２０Ａ、２０Ｂの光コネクタアダプタ１３に対する光コネクタ１９ａの切り替え接続、及び／又は、装置側架体３０の光コネクタアダプタ１６に対する光コネクタ１９ｂの切り替え接続によって、線路側の光回線に対する装置側の光回線（光ファイバ１５）の接続を切り替えることができる。
なお、以下、図１、図２中、ジャンパ用光ファイバ１９の内、配線架体４０に近い側の線路側架体２０Ａの光モジュール１４の光コネクタアダプタ１３と装置側架体３０の光モジュール１７の光コネクタアダプタ１６との間を接続するジャンパ用光ファイバ１９に符号１９Ａ、線路側架体２０Ａを介して配線架体４０に対向する側に配置された線路側架体２０Ｂの光モジュール１４の光コネクタアダプタ１３と装置側架体３０の光モジュール１７の光コネクタアダプタ１６との間を接続するジャンパ用光ファイバ１９に符号１９Ｂを付して区別して説明する場合がある。
【００２９】
光モジュール１４、１７の光コネクタアダプタ１３、１６は、光モジュール１４、１７内側から該光コネクタアダプタ１３、１６に接続されている光ファイバとジャンパ用光ファイバ１９との単心接続に対応する光コネクタアダプタ（以下「単位光コネクタアダプタ」と称する場合がある）を多連にしたものであり、光コネクタアダプタ１３、１６に対するジャンパ用光ファイバ１９の切り替え接続によって、線路側の光回線に対する伝送装置側の光回線（光ファイバ１５）の接続を単心単位で切り替えることができる。
【００３０】
なお、光コネクタアダプタ１３、１６の単位光コネクタアダプタと、伝送装置側の光線路に接続されている光ファイバ１５と、ジャンパ用光ファイバ１９とは、対応心数が同じものであれば良く、必ずしも単心のものに限定されない。コネクタアダプタ１３、１６の単位光コネクタアダプタや、光ファイバ１５、ジャンパ用光ファイバ１９が多心用である場合、線路側架体２０Ａ、２０Ｂ内の光モジュール１４に収納される光ファイバ（モジュール側光ファイバ）としても、多心部先端を分岐した単心部を有するものに代えて、光モジュール内側から光コネクタアダプタに対して接続される先端に、ジャンパ用光ファイバ１９の光コネクタ１９ａと同じ対応心数の多心光コネクタを有するものものを採用する。
光モジュール１４、１７に設けられる光コネクタアダプタ、モジュール側光ファイバ１８先端の光コネクタ１８ａ、伝送装置側の光ファイバ１５先端の光コネクタ１５ａ、ジャンパ用光ファイバ１９先端の光コネクタ１９ａ、１９ｂとして、光ファイバ同士の単心接続に対応するものとしては、例えばＪＩＳ  Ｃ  ５９７３に制定されるＳＣ形光コネクタ（ＳＣ：Single fiber Coupling optical
fiber connector)の光コネクタプラグや光コネクタアダプタ等が採用可能であり、光ファイバ同士の多心接続に対応するものとしては例えばＪＩＳ  Ｃ  ５９８２に制定されるＭＰＯ形光コネクタ（ＭＰＯ:Multifiber  Push-On）の光コネクタプラグや光コネクタアダプタ等が採用可能である。
【００３１】
図１に示すように、ジャンパ用光ファイバ１９の長手方向中央部は配線架体４０内に配線されている。配線架体４０内では、ジャンパ用光ファイバ１９を前記引っ掛け部材４４に引っ掛けて該引っ掛け部材４４から下方に垂らすようにして湾曲配線することで、ジャンパ用光ファイバ１９の余長が吸収される。
【００３２】
図４（ａ）〜（ｃ）に示すように、線路側架体２０Ａ、２０Ｂの目的の光接続ユニット５０に引き込まれたジャンパ用光ファイバ１９Ａ、１９Ｂの端部（一端）は、前記光接続ユニット５０の配線ダクト５２に配線され、この配線ダクト５２から引き上げるようにして目的の光モジュール１４の光コネクタアダプタ１３にコネクタ接続される。一方、図６（ａ）〜（ｃ）に示すように、装置側架体３０の目的の光接続ユニット６０に引き込まれたジャンパ用光ファイバ１９Ａ、１９Ｂの端部（他端）は、前記光接続ユニット６０の配線ダクト６２に配線され、この配線ダクト６２から引き上げるようにして目的の光モジュール１７の光コネクタアダプタ１６にコネクタ接続される。
なお、線路側架体２０Ａ、２０Ｂの光接続ユニット５０の配線ダクト５２では、該配線ダクト５２上に設けられたクランプ部材７１（図４（ｃ）参照。図４（ａ）、（ｂ）等では図示略）や仕切部材（図示略）等によって、ジャンパ用光ファイバ１９（１９Ａ、１９Ｂ）とモジュール側光ファイバ１８とが区分けして配線されるようになっており、ジャンパ用光ファイバ１９やモジュール側光ファイバ１８の増設、撤去、入れ替え等を効率良く行える。
【００３３】
クランプ部材７１は、光ファイバを取り出し可能にクランプ保持する部材であって、配線棚５４や引き通し用ダクト５３にも設けられている。また、図示を略すが、配線棚５４や引き通し用ダクト５３でも、光ファイバの錯綜を防止するための仕切部材等を適宜設置することが可能である。
【００３４】
図１〜図４に示すように、ジャンパ用光ファイバ１９Ｂは、配線架体４０に近い側の線路側架体２０Ａに搭載されている各光接続ユニット５０の引き通し用ダクト５３に配線して、前記線路側架体２０Ａよりも配線架体４０から遠い側の線路側架体２０Ｂに引き込まれている。すなわち、線路側架体２０Ａの光接続ユニット５０では、当該光接続ユニット５０の光モジュール１４の光コネクタアダプタ１３にコネクタ接続されるジャンパ用光ファイバ１９Ａと引き通されるジャンパ用光ファイバ１９Ｂとが複数のダクトに区分けして別個に配線されるため、ジャンパ用光ファイバ１９Ａやモジュール側光ファイバ１８の増設、撤去、切り替え接続等に伴う入れ替えなどの作業を行う際に、ジャンパ用光ファイバ１９Ｂの干渉を防止でき、作業性を確保できる。
【００３５】
しかも、ジャンパ用光ファイバ１９Ｂは、線路側架体２０Ｂの目的の光接続ユニット５０への配線ルートに鑑みて、配線架体４０に近い側の線路側架体２０Ａに上下に多段に搭載されている各光接続ユニット５０の引き通し用ダクト５３に選択的に配線することで配線長の短縮を図ることができる。これにより、ジャンパ用光ファイバ１９Ｂを低コスト化できるとともに、長さの短縮によって、増設、撤去、切り替え接続等に伴う入れ替えなどの作業性を向上できる。さらに、ジャンパ用光ファイバ１９Ｂが多数本であっても、複数の光配線ユニット５０の引き通し用ダクト５３に分散配線することで、ジャンパ用光ファイバ１９Ｂの増設、撤去、切り替え接続等に伴う入れ替えなどの作業性を向上できる利点がある。
【００３６】
特に、この光配線盤１０では、隣り合う線路側架体２０Ａ、２０Ｂにそれぞれ上下に多段に搭載されている光接続ユニット５０の位置が、線路側架体２０Ａ、２０Ｂ間で丁度横並びとなるように対応されており、線路側架体２０Ａの光接続ユニット５０の引き通し用ダクト５３に引き通し配線されたジャンパ用光ファイバ１９Ｂは、該引き通し用ダクト５３が設けられている光接続ユニット５０の横方向に位置する線路側架体２０Ａ側の光接続ユニット５０の配線ダクト５２に配線されるようになっている。ジャンパ用光ファイバ１９Ｂは、線路側架体２０Ａ側の引き通し用ダクト５３と線路側架体２０Ａ側の配線ダクト５２との間の位置（高さ）の違いを吸収できる程度に緩やかに湾曲するだけで隣り合う線路側架体２０Ａ、２０Ｂ間に容易に配線することができる。
なお、隣り合う線路側架体２０Ａ、２０Ｂ間では、線路側架体２０Ａ側の引き通し用ダクト５３と線路側架体２０Ａ側の配線ダクト５２とが横並びとなるように光接続ユニット５０の搭載位置を調整することも可能である。
【００３７】
この光配線盤１０では、線路側架体２０Ａ、２０Ｂ及び装置側架体３０の上部又は下部（本実施の形態では下部）に設けられた架間配線棚２５、３５にもジャンパ用光ファイバ１９を配線可能である。架間配線棚２５、３５は、光配線盤間の渡り配線用の光ファイバの配線等にも利用される。但し、架間配線棚２５内でジャンパ用光ファイバ１９Ｂが錯綜したり、架間配線棚２５に配線される他の光ファイバ（光配線盤間の渡り配線用の光ファイバ等）と干渉するといった不都合を避ける点では、架間配線棚２５に配線するジャンパ用光ファイバ１９Ｂの本数を極力少なく抑えることが好ましい。
【００３８】
線路側架体２０Ａ、２０Ｂに収納されている光モジュール１４の光コネクタアダプタ１３には、ジャンパ用光ファイバ１９の他、伝送装置側の光ファイバ１５を接続することも可能である。以下、線路側架体２０Ａ、２０Ｂ内の光モジュール１４の光コネクタアダプタ１３に直接接続される光ファイバ１５に符号１５Ｂを付して説明する場合がある。すなわち、図２に示すように、この光配線盤１０では、配線架体４０の導入側にてコードケーブル１５Ａ端末に口出しされている光ファイバ１５Ｂを、配線架体４０の仕切壁４３に形成されている窓（図示略）を介して配線架体４０の作業面側に引き出し（図７参照）、以下、ジャンパ用光ファイバ１９Ａ又はジャンパ用光ファイバ１９Ｂと同様の配線ルートによって線路側架体２０Ａ、２０Ｂの目的の光接続ユニット５０に引き込み、この光ファイバ１５Ｂ先端の光コネクタ１５ａを目的の光モジュール１４の光コネクタアダプタ１３に接続する。なお、この光ファイバ１５Ｂについても、ジャンパ用光ファイバ１９と同様に、配線架体４０の引っ掛け部材４４に引っ掛けて該引っ掛け部材４４から垂れ下げるようにして光ファイバ配線領域４５内に配線することで、余長を簡単に吸収できる。
【００３９】
線路側架体２０Ａ、２０Ｂ、装置側架体３０に収納されている光モジュール１４、１７の光コネクタアダプタ１３、１６には、架間配線棚２５、３５等を経由して光配線盤１０に外部から引き込まれた光ファイバ（以下「外部光ファイバ」）を接続することも可能である。但し、この外部光ファイバは、ジャンパ用光ファイバ１９先端の光コネクタ１９ａ、１９ｂと同様に光コネクタアダプタ１３、１６に対してコネクタ接続可能な光コネクタを先端に有するものである。
また、この架間配線棚２５、３５を介して、ジャンパ用光ファイバ１９等を光配線盤１０の外に引き出すことも可能である。
【００４０】
前記光配線盤１０は、設置時の対応心数に対応して線路側架体や装置側架体の設置数を図１等に例示したものよりも多くしたり、設置後に対応心数の増大の要求に対応して線路側架体や装置側架体を増設することが可能である。
図９〜図１１は、前述の光配線盤１０の装置側架体３０の隣（装置側架体３０を介して配線架体４０に対向する側）に装置側架体３０を１つ追加して、合計４つの架体を横並びに配列した例を示すものである。説明の便宜上、以下、光配線盤１０に係る装置側架体３０に符号３０Ａ、追加した装置側架体３０に符号３０Ｂ、この装置側架体３０Ｂを増設した光配線盤に符号１００を付して説明する。
【００４１】
装置側架体３０Ｂの構成は配線架体４０側の装置側架体３０Ａと同様である。図１０に示すように、この装置側架体３０Ｂの光接続ユニット６０内の光モジュール１７の光コネクタアダプタ１６によってコネクタ成端される光ファイバ１５（伝送装置側の光ファイバ）は、配線架体４０の導入側から装置側架体３０Ａの導入側を経由して装置側架体３０Ｂの導入側から光ファイバ配線領域３４に配線されて該装置側架体３０Ｂの作業面側に引き込まれ、光ファイバ配線領域３４から目的の光接続ユニット６０に配線され、以下、配線架体４０側の装置側架体３０Ａの場合と同様に、光モジュール１７内に引き込まれて、光モジュール１７内側から光コネクタアダプタ１６に接続される。
【００４２】
図９、図１０に示すように、装置側架体３０Ｂの光接続ユニット６０内の光モジュール１７の光コネクタアダプタ１６と、線路側架体２０Ａ、２０Ｂの光接続ユニット６０内の光モジュール１４の光コネクタアダプタ１３とを接続するジャンパ用光ファイバ１９（以下、説明の便宜上、このジャンパ用光ファイバ１９に符号１９Ｃを付して説明する場合がある）は、線路側架体２０Ａ、２０Ｂ及び配線架体４０では前述の光配線盤１０におけるジャンパ用光ファイバ１９と同様の配線ルートで配線されるが、図９、図１２に示すように、配線架体４０側の装置側架体３０Ａ内では、該装置側架体３０に上下に多段に搭載されている光接続ユニット６０の引き通し用ダクト６３に引き通し配線して、この装置側架体３０よりも配線架体４０から遠い位置に配置されている装置側架体３０Ｂに引き込まれ、この装置側架体３０Ｂの目的の光接続ユニット６０の配線ダクト６２に配線される。そして、この配線ダクト６２から引き上げるようにして、先端の光コネクタ１９ｂを目的の光モジュール１７の光コネクタアダプタ１６に接続する。
【００４３】
装置側架体３０Ａの光接続ユニット６０では、当該光接続ユニット６０の光モジュール１７の光コネクタアダプタ１６にコネクタ接続されるジャンパ用光ファイバ１９と引き通されるジャンパ用光ファイバ１９Ｃとが配線ダクト６２と引き通し用ダクト６３とに区分けして別個に配線されるため、ジャンパ用光ファイバ１９や伝送装置側の光ファイバ１５の増設、撤去、切り替え接続等に伴う入れ替えなどの作業にジャンパ用光ファイバ１９Ｃが干渉することを防止でき、作業性を確保できる。
【００４４】
しかも、ジャンパ用光ファイバ１９Ｃは、配線架体４０から遠い側の装置側架体３０Ｂの目的の光接続ユニット６０への配線ルートに鑑みて、配線架体４０に近い側の装置側架体３０に上下に多段に搭載されている各光接続ユニット６０の引き通し用ダクト６３に選択的に配線することで装置側架体３０Ａを迂回する場合に比べて配線長を短縮でき、これによりジャンパ用光ファイバ１９Ｃの低コスト化、増設、撤去、切り替え接続等に伴う入れ替えなどの作業性の向上を実現できる。また、装置側架体３０Ａに配線するジャンパ用光ファイバ１９Ｃが多数本であっても、複数の光接続ユニット６０の引き通し用ダクト６３に分散配線することでジャンパ用光ファイバ１９Ｃの錯綜を防止でき、ジャンパ用光ファイバ１９Ｃの増設、撤去、切り替え接続等に伴う入れ替えなどの作業性を向上できる。
【００４５】
特に、この光配線盤１００では、隣り合う装置側架体３０Ａ、３０Ｂにそれぞれ上下に多段に搭載されている光接続ユニット６０の位置が、装置側架体３０Ａ、３０Ｂ間で丁度横並びとなるように対応されており、装置側架体３０Ａの光接続ユニット６０の引き通し用ダクト６３に引き通し配線されたジャンパ用光ファイバ１９Ｃは、該引き通し用ダクト６３が設けられている光接続ユニット６０の横方向に位置する装置側架体３０Ａ側の光接続ユニット６０の配線ダクト６２に配線されるようになっている。ジャンパ用光ファイバ１９Ｃは、装置側架体３０Ａ側の引き通し用ダクト６３と装置側架体３０Ａ側の配線ダクト６２との間の位置（高さ）の違いを吸収できる程度に緩やかに湾曲するだけで隣り合う装置側架体３０Ａ、３０Ｂ間に容易に配線することができる。
なお、隣り合う装置側架体３０Ａ、３０Ｂ間では、装置側架体３０Ａ側の引き通し用ダクト５３と装置側架体３０Ａ側の配線ダクト５２とが横並びとなるように光接続ユニット６０の搭載位置を調整することも可能である。
【００４６】
ジャンパ用光ファイバ１９Ｃは、装置側架体３０Ａ、３０Ｂに設けられている架間配線棚３５にも配線することが可能であり、これにより、より多くの配線ルートへの分散配線を実現できる。但し、架間配線棚３５に配線される他の光ファイバとの干渉防止の点で、架間配線棚３５に配線するジャンパ用光ファイバ１９Ｃの本数は極力少なくすることが好ましい。
【００４７】
なお、本発明の光配線盤としては、前記実施の形態に限定されず、以下の変更も含まれる。
本発明に係る光配線盤を構成する線路側架体や装置側架体の数は、前述の実施の形態に限定されず、さらに多くしても良い。また、線路側架体と装置側架体とをそれぞれ１つずつ有する構成も採用可能である。
本発明の請求項７記載の発明に係る光配線盤は、本発明に係る光配線ユニットを搭載した光配線盤であり、具体的構成は前述の実施の形態に限定されず、各種採用可能である。例えば、一つの架体のみからなる構成の光配線盤も採用可能である。本発明に係る光配線ユニットを搭載した光配線盤であれば、横並びに別の光配線盤（架体）を追加設置する際に、この追加設置する光配線盤（架体）への光ファイバの配線を、光配線ユニットの引き通し用ダクトを利用することで簡単に行うことができる。また、一つの架体の横方向に複数の光接続ユニットが連設された構成も採用可能である。この場合、光接続ユニットの引き通し用ダクトには、該引き通し用ダクトが設けられている光接続ユニットに引き通して、同一の架体内の別の光接続ユニットに引き込まれるジャンパ用光ファイバ等が配線される。本発明に係る光配線盤は、本発明に係る光配線ユニットを既設の光配線盤に搭載することによっても構成可能である。
【００４８】
前記実施の形態では、光ファイバをコネクタ成端する光コネクタアダプタが側部に取り付けられている光モジュールを収納する構成の光接続ユニットを例示したが、本発明に係る光接続ユニットとしてはこれに限定されず、例えば、光接続ユニットの導入側の光ファイバを作業面側の光ファイバに対してコネクタ接続可能に成端する光コネクタアダプタが取り付けられるパネルを有するもの等、各種構成が採用可能である。また、前記実施の形態では、線路側架体に搭載される光接続ユニットとして、光モジュールに内蔵の光ファイバ（モジュール側光ファイバ）を介して線路側（外線光ファイバケーブル１１側）の光ファイバをコネクタ成端した構成を例示したが、本発明はこれに限定されず、線路側の光ファイバが直接、光コネクタアダプタによってコネクタ成端された構成も採用可能である。この場合、線路側の光ファイバが直接、導入側の光ファイバとして機能する。
光接続ユニットの引き通し用ダクトに配線される光ファイバとしては、ジャンパ用光ファイバ１９や伝送装置側の光ファイバ１５や光配線盤に外部から引き込まれる外部光ファイバに限定されず、光接続ユニットへの引き通し配線を要する各種光ファイバが採用可能である。また、引き通し用ダクトには、光ファイバ以外、電線等の各種線状体の引き通し配線にも利用できる。
【００４９】
【発明の効果】
以上述べたように、本発明によれば、光接続ユニットに設けられている引き通し用ダクトを利用することで、光接続ユニットへの光ファイバの引き通し配線を、該光接続ユニットの光コネクタアダプタに接続されるジャンパ用光ファイバとの干渉を生じることなく簡単に実現できる。光接続ユニットは、該光接続ユニットに設置された光コネクタアダプタにコネクタ接続されるジャンパ用光ファイバが配線される配線ダクトとは別に前記引き通し用ダクトを有する構成であるため、該光接続ユニットに引き通し配線する光ファイバと、該光接続ユニットの光コネクタアダプタに接続されるジャンパ用光ファイバとの干渉を防止でき、光コネクタアダプタに対する作業面側からのジャンパ用光ファイバのコネクタ接続、接続解除（光コネクタアダプタからの離脱）、配線ダクトに対するジャンパ用光ファイバの増設、撤去、入れ替え等の作業性を確保できる。また、引き通し用ダクトを利用して光接続ユニットに光ファイバを引き通し配線すると、光接続ユニットや該光接続ユニットを搭載した架体（あるいは光配線盤）を迂回した配線ルートを以て光ファイバを配線した場合に比べて配線長を短くできる等の利点がある。引き通し用ダクトを利用し光接続ユニットに引き通し配線する光ファイバがジャンパ用光ファイバである場合は、配線長の短縮によって、ジャンパ用光ファイバの増設、撤去、入れ替え等の作業性を向上できる。
【図面の簡単な説明】
【図１】  本発明の実施の形態の光配線盤を示す正面図（作業面側から見た図）である。
【図２】  図１の光配線盤を示す平面図である。
【図３】  図１の光配線盤を示す背面図（導入側から見た図）である。
【図４】  図１の光配線盤の線路側架体に搭載されている光接続ユニットを示す図であって、（ａ）は平面図、（ｂ）は正面図、（ｃ）は側面図である。
【図５】  図４の光接続ユニットの配線棚に設けられているホルダを示す斜視図である。
【図６】  図１の光配線盤の装置側架体に搭載されている光接続ユニットを示す図であって、（ａ）は平面図、（ｂ）は正面図、（ｃ）は側面図である。
【図７】  図１のＡ−Ａ線断面矢視図であり、図１の光配線盤の配線架体の構造を示す。
【図８】  ジャンパコードを示す図である。
【図９】  図１の光配線盤に装置側架体を追加して構成された光配線盤を示す正面図である。
【図１０】  図９の光配線盤を示す平面図である。
【図１１】  図９の光配線盤を示す背面図（導入側から見た図）である。
【図１２】  図９の光配線盤の配線架体側の装置側架体に搭載されている光接続ユニットを示す図であって、（ａ）は平面図、（ｂ）は正面図、（ｃ）は側面図である。
【図１３】  従来例の光配線盤を示す正面図である。
【図１４】  図１３の光配線盤に線路側架体と装置側架体とを追加した状態を示す正面図である。
【符号の説明】
１０，１００…光配線盤、１３…光コネクタアダプタ、１４…光モジュール、１５…導入側の光ファイバ（伝送装置側の光ファイバ）、１５Ｂ…作業面側の光ファイバ（伝送装置側の光ファイバ）、１６…光コネクタアダプタ、１７…光モジュール、１８…導入側の光ファイバ（モジュール側光ファイバ）、１９，１９Ａ，１９Ｂ，１９Ｃ…ジャンパ用光ファイバ，作業面側の光ファイバ、２０Ａ，２０Ｂ…架体，光配線盤（線路側架体）、３０，３０Ａ，３０Ｂ…架体，光配線盤（装置側架体）、５０…光接続ユニット、５１…アダプタ設置部，モジュール設置部（ユニットフレーム）、５２…配線ダクト、５３…引き通し用ダクト、６０…光接続ユニット、６１…アダプタ設置部，モジュール設置部（ユニットフレーム）、６２…配線ダクト、６３…引き通し用ダクト。
【図１】
0003902016.tif 000002
【図２】
0003902016.tif 000003
【図３】
0003902016.tif 000004
【図４】
0003902016.tif 000005
【図５】
0003902016.tif 000006
【図６】
0003902016.tif 000007
【図７】
0003902016.tif 000008
【図８】
0003902016.tif 000009
【図９】
0003902016.tif 000010
【図１０】
0003902016.tif 000011
【図１１】
0003902016.tif 000012
【図１２】
0003902016.tif 000013
【図１３】
0003902016.tif 000014
【図１４】
0003902016.tif 000015